(57)【要約】【課題】湾曲したつるを横向きにして嵩張らないメガネを提供する。【解決手段】つるを２つに切断し、２つの管に軸を通し、対面している一方の口径を水平に複数に分け、下段を残して管の中程まで削り、もう一方の口径も垂直に複数に分け、中央上段を残して、管の中程まで削り、互いに隙間を挟んで噛み合わせ、それぞれをつるに取り付けて、隙間の分だけ回転させることを特徴とするメガネ。【選択図】図１
2007004095.tif 000002
【特許請求の範囲】
【請求項１】
つるを２つに切断し、２つの管に軸を通し、対面している一方の口径を水平に複数に分け、下段を残して管の中程まで削り、もう一方の口径も垂直に複数に分け、中央上段を残して、管の中程まで削り、互いに隙間を挟んで噛み合わせ、それぞれをつるに取り付けて、隙間の分だけ回転させること特徴としたメガネ。
【発明の詳細な説明】
【技術分野】
【０００１】  本発明はメガネの嵩だかを抑え為に横向きになるつるを装着したメガネに関するものである。
【背景技術】
【０００２】  従来、メガネのつるはひねっても回転するものではなかった。
【発明の開示】
【発明が解決すようとする課題】
【０００３】  そのために、次のような欠点があった。
（イ）ほぼ水平のつるを使用した場合、頭部に密着させるとつるが湾曲して、折り畳むと嵩が高くなりケースに入らない事があった。
（ロ）又メガネの前部が下がりずらいようにつるの途中に頭部に係止する補助つる等を設けた時、つるの内側がレンズに対面している為に触れる事があった。
【課題を解決するための手段】
【０００４】  つるを２つに切断し、２つの管に軸を通し、対面している一方の口径を複数に分け、下段を残して管の中程まで削り、もう一方の口径も垂直に複数に分け、中央上段を残して管の中程まで削り、互いに隙間を挟んで噛み合わせ、それぞれをつるに取る付けて、隙間分だけ回転させる
【発明の効果】
【０００５】レンズにつるを互い違いに横向きに倒して対面させる事で、嵩張らず又、補助つる等障害物も横向きになるので触れる事がない。
【発明を実施するための最良の形態】
【０００６】  本発明の第１の実施の形態について図１から図４を用いて説明するが、図面はもっぱら解説のためのもので技術的範囲を限定するものではない。
（イ）ほぼ水平のつる９・９の先端内側に蝶番７・７のオス部７ｂ・７ｂを取り付け、少し後部寄りで切断し、前部つる９−１・９−１とし、残りのつる９・９を後部つる９−２・９−２とする。
（ロ）２つの管を直線状に並べ、前部管１０・１０と後部管１１・１１とする。そして対面している前部管１０・１０の口径を水平に３等分して、管の長さの半分位まで上段より２／３を削り、下段の１／３を残して前部削り面１０−１・１０−１とする。又対面している後部管１１・１１の口径は垂直に３等分して、管の長さの半分位まで両側と下段を削り、上段の中央のみを残して後部削り面１１−１・１１−１とする。
（ハ）そして前部つる９−１・９−１の末端に前部管１０・１０の前部管削り面１０−１・１０−１を上向きにし、末端を揃えて取り付ける。又後部つる９−２・９−２の先端に後部管１１・１１の後部管削り面１１−１・１１−１を下向きに前部管削り面１０−１・１０−１と対面させ、突き出して取り付け、噛み合わせる。これらの事によって両側に同じ隙間１２・１２・１２・１２を設ける。そして前部管１０・１０と後部管１１・１１に軸１３・１３を通して一本化し、回転出来るようにかしめる。
（二）フレーム２・２に取り付けたＬ形金具６・６に設けた蝶番７・７のメス部７ａ・７ａとつる９・９に設けた蝶番７・７のオス部７ｂ・７ｂを合わせ、ネジ８・８で結ぶ。
メガネ１は以上のような構成である。
次に使用法であるが、従来のメガネと同じである。ただメガネ１は前部が下がりずらいようにつるの後部を頭に密着させる為に湾曲させたので、そのまま折り畳むとつるが嵩張ってケースに入らない事があるので、つる９・９を時計回し、又は反時計回しにほぼ９０°捻る事で湾曲したつるを横倒しにする事が出来る、図４．。
尚、噛み合う管の削り部分の構成を水平線と垂直線で４等分し、一方の管は上段の２面を削り、下段の２面を残し、もう一方の管は上段のいずれか一方を削り、更に下段の２面を削る事で、隙間を１／４得られるので、捻り方向を一方に限定する事が出来る。
【実施例】
【０００７】  次に、図４から図１７に示す本発明の異なる実施の形態につき説明する。尚、これらの説明にあたって、前記本発明の第１の実施の形態と同じ構成部分には同一符合を付して重複する説明を省略する。又図面は解説のためのもので技術的範囲を限定するものではない。
【実施例１】
【０００８】  図５と図６に示す本発明の第２の実施の形態において、前記本発明の第１の実施の形態と主に異なる点は、Ｌ形金属６・６に丸形の線を用いたので合わせるためにつる９・９も丸形の線を用いた。丸管１４・１４の外側に蝶番７・７のオス部７ｂ・７ｂを設け、口径内側の上下に突き出した歯１７・１７・１７・１７を対面させて設ける。丸管１４・１４に楽に出入りするつる９・９の先端切り口に中心点を通る線を描き、線以外の外周を削って段１８・１８・１８・１８を設け、更に円心に円柱状の凸部１９・１９を設けて丸管１４・１４に通す。そして突き出した凸部１９・１９にテーパー状の通し孔２０・２０に溝１６・１６を設けた止め金１５・１５を嵌め、凸部１９・１９を潰して取り付けた点で、このように形成されたつる９Ａ・９Ａを用いて構成されたメガ１Ａにしても、前記本発明の第１の実施の形態と同じ作用効果が得られる。
尚、段１８・１８・１８・１８の厚みもあるので、つる９Ａ・９Ａを正確に両方向共に９０°倒す事は難しいので段１８・１８・１８・１８を片方だけ設けても良い。
【実施例２】
【０００９】  図７と図８に示す本発明の第３の実施の形態において、前記本発明の第１の実施の形態と主に異なる点は、前述した第２の実施の形態とほとんど同じであるが異なる点は、丸管１４・１４の代わりに切削管２１・２１を用いた事と歯１７・１７・１７・１７を出口でなく入り口に設けた。それによって段１８・１８・１８・１８も先端切り口でなく、切削管２１・２１の長さだけ内側に入った所に設けた点で、このように形成されたつる９Ｂ・９Ｂを用いて構成されたメガネ１Ｂにしても、前記本発明の第１の実施の形態と同じ作用効果が得られる。
尚、つる９Ｂ・９Ｂを両方向に９０°倒すのは難しいので段１８・１８・１８・１８は片方だけでも良い。
【実施例３】
【００１０】  図９と図１０に示す本発明の第４の実施の形態において、前記本発明の第１の実施の形態と主に異なる点は、前部切削管２２・２２の前側を１／４削って３／４の前部切削管削り面２２−１・２２−１を設けて前部つる９−１・９−１に取り付ける。後部切削管２３・２３はそのまま後部つる９−２・９−２に取り付け、ストッパー２４・２４を設けたストッパー付軸２５・２５を通すために前部切削管２２・２２及び後部切削管２３・２３の合わせ目をあけて通し、ストッパー付軸２５・２５の末端を回転出来るようにかしめた点で、このように形成されたつる９Ｃ・９Ｃを用いて構成されたメガネ１Ｃにしても、前記本発明の第１の実施の形態とほぼ同じ作用効果が得られるが捻れる方向は片方である。
尚、３／４の前部切削管削り面２２−１・２２−１を１／２の削り面にしても良い。
【実施例４】
【００１１】  図１１と図１２に示す第５の実施の形態において、前記本発明の第１の実施の形態と主に異なる点は、切削管２１・２１に取り付ける蝶番７・７のオス部７ｂ・７ｂに足２６・２６・２６・２６を設けて取り付け、ストッパー２４・２４を設けたつる９・９を差し込んだ点で、このように形成されたつる９Ｄ・９Ｄを用いて構成されたメガネ１Ｄにしても、前記本発明の第１の実施の形態と同じ作用効果が得られる。
【実施例５】
【００１２】  図１３と図１４に示す第６の実施の形態において、前記本発明の第１の実施の形態と主に異る点は、長形の板を丸みを設けて二つに曲げＵ字管２７・２７を設け、前部より１／３に鋲２８・２８用の通し孔２９・２９・２９・２９をあけ、残りの２／３は丸めて切削管３０・３０にする。そして中間部を１／２削って１／２のＵ字管付切削管削り面３０−１・３０−１を持つ切削管３０・３０にストッパー２４・２４を設けたつる９・９を通し、Ｌ形金具６・６にＵ字管２７−１・２７−１を用いて鋲２８・２８で回転出来るようにかしめた点で、このように形成されたつる９Ｅ・９Ｅを用いて構成されたメガネ１Ｅにしても、前記本発明の第１の実施の形態と同じ作用効果が得られる。
尚、１／２のＵ字管付切削管削り面３０−１・３０−１を３／４の削り面にしても良い。
【実施例６】
【００１３】  図１５と図１６に示す第７の実施の形態において、前記本発明の第６の実施の形態と主に異なる点は、ストッパー２４・２４を設けたつる９Ｅ・９Ｅを用いたがストッパー２４・２４の代わりにつる９・９の先端を９０°曲げ、更に１／２削ったＵ字管付切削管削り面３０−１・３０−１も１／４削って３／４の削り面にした点で、このように形成されたつる９Ｆを用いて構成されたメガネ１Ｆにしても、前記本発明の第４の実施の形態と同じ作用効果が得られる。
【実施例７】
【００１４】図１７と図１８に示す第８の実施の形態において、前記本発明の第１の実施の形態と主に異なる点は、切削管２１・２１の前から２／３位を１／２削りそこに蝶番７・７のオス部７ｂ・７ｂの台座３１・３１を切削管２１・２１の内側に合わせて作りオス部７ｃ・７ｃとして取り付ける。そしてストッパー２４・２４を設けたつる９・９を差込、Ｌ形金具６・６も半円形にした点で、このように形成されたつる９Ｇ・９Ｇを用いて構成されたメガネ１Ｇにしても、前記本発明の第１の実施の形態と同じ作用効果が得られる。
【実施例８】
【００１５】図１９と図２０に示す第９の実施の形態において、前記本発明の第１の実施の形態と主に異なる点は、つる９・９を２つに切断して前部つる９−１・９−１と後部つる９−２・９−２に分ける。前部つる９−１・９−１の後部に角形の軸受け３２・３２を取り付け、上部を後方に少し折り曲げ、止め板３３・３３を設ける。そして後部つる９−２・９−２の前部に上部を半円形にした半円軸受け３４・３４を取り付け、角形軸受け３２・３２と半円軸受け３４・３４のそれぞれの下方に鋲２８・２８用の通し孔２９・２９をあけて、回転するようにかしめて一本化したつる９・９を設けた点で、このように形成されたつる９Ｈ・９Ｈを用いて構成されたメガネ１Ｈにしても、前記本発明の第１の実施の形態と同じ作用効果が得られる。
【図面の簡単な説明】
【００１６】
【図１】本発明の第１の実施の形態の使用中のメガネ１の斜視図である。
【図２】本発明の第１の実施の形態の斜視図、（ａ）はつるの断面図。
【図３】本発明の第１の実施の形態の分解した斜視図。
【図４】本発明の第１の実施の形態の折り畳んだ平面図。
【図５】本発明の第２の実施の形態の斜視図。
【図６】本発明の第２の実施の形態の分解した斜視図。
【図７】本発明の第３の実施の形態の斜視図。
【図８】本発明の第３の実施の形態の分解した斜視図。
【図９】本発明の第４の実施の形態の斜視図。
【図１０】本発明の第４の実施の形態の分解した斜視図。
【図１１】本発明の第５の実施の形態の斜視図。
【図１２】本発明の第５の実施の形態の分解した斜視図。
【図１３】本発明の第６の実施の形態の斜視図。
【図１４】本発明の第６の実施の形態の分解した斜視図。
【図１５】本発明の第７の実施の形態の斜視図。
【図１６】本発明の第７の実施の形態の分解した斜視図。
【図１７】本発明の第８の実施の形態の斜視図。
【図１８】本発明の第８の実施の形態の分解した斜視図。
【図１９】本発明の第９の実施の形態の斜視図。
【図２０】本発明の第９の実施の形態の分解した斜視図。
【符号の説明】
【００１７】１、１Ａ，１Ｂ，１Ｃ，１Ｄ，１Ｅ          ２：フレーム
１Ｆ，１Ｇ，１Ｈ：メガネ
３：レンズ                                ４：ブリッジ
５：鼻パット                              ６：Ｌ形金具
７：蝶番  、７ａ：メス部  ７ｂ：オス部    ８：ネジ
７ｃ：オス部
９、９Ａ，９Ｂ、９Ｃ，９Ｄ、９Ｅ          １０：前部管
９Ｆ，９Ｇ，９Ｈ：つる                    １０−１：前部削り面
９−１：前部つる、９−２：後部つる        １２：隙間
１１：後部管                              １４：
１１−１：後部削り面                      １６：溝
１３：軸                                  １８：段
１５：止め金                              ２０：テーパー付通し孔
１７：歯                                  ２２：前部切削管
１９：凸部                                ２２−１：前部切削管削り面
２１：切削管                              ２４：ストッパー
２３：後部切削管                          ２６：足
２５：ストッパー付軸                      ２８：鋲
２７：Ｕ字管                              ３０：Ｕ字管付切削管
２９：通し孔                              ３０−１：Ｕ字管付切削管削り面
３１：台座                                ３２：角形軸受け
３３：止め板                              ３４：半円軸受け
【図１】
2007004095.tif 000003
【図２】
2007004095.tif 000004
【図３】
2007004095.tif 000005
【図４】
2007004095.tif 000006
【図５】
2007004095.tif 000007
【図６】
2007004095.tif 000008
【図７】
2007004095.tif 000009
【図８】
2007004095.tif 000010
【図９】
2007004095.tif 000011
【図１０】
2007004095.tif 000012
【図１１】
2007004095.tif 000013
【図１２】
2007004095.tif 000014
【図１３】
2007004095.tif 000015
【図１４】
2007004095.tif 000016
【図１５】
2007004095.tif 000017
【図１６】
2007004095.tif 000018
【図１７】
2007004095.tif 000019
【図１８】
2007004095.tif 000020
【図１９】
2007004095.tif 000021
【図２０】
2007004095.tif 000022